(57)【要約】【課題】庫内灯の点灯方式に関して、使用者が扉の閉め忘れ等で扉をわずかに開けていただけでも庫内灯が点灯してしまい、使用者が意図しない時に意図しない場所の庫内灯が点灯するという欠点や、ユーザーが必要な場所のみを照らすことが出来ないという欠点の解決を図る。【解決手段】ドアヒンジ部にボリューム抵抗１８を取り付け、冷蔵室のドア開度を検出しドア開度がある一定値Ｑ未満の時にはユーザーは冷蔵室ドアの棚のものを出し入れするものとして庫内灯１１ａのみを点灯し、ドア開度がある一定値Ｑ以上の時にはユーザーは冷蔵室庫内のものを出し入れすると考えて庫内灯１１ｂのみを点灯し、効率的な庫内灯の点灯制御を実現できる。【選択図】図２
2005164196.tif 000002
【特許請求の範囲】
【請求項１】
複数に区画された庫内の各部屋を照明する庫内灯と、各部屋の扉の開閉に連動してそれぞれ接点を入切りするスイッチと、冷蔵室のヒンジに装着されたボリューム抵抗とを備えた冷蔵庫において、各扉の開閉に連動して各部屋の庫内灯を点灯、消灯させるとともに、上記ボリューム抵抗によって冷蔵室の扉の開閉角度を検知し、冷蔵室の扉の開閉角度に応じて冷蔵室に備えられた複数の庫内灯の点灯を切り替える制御手段を設けたことを特徴とする冷蔵庫。
【発明の詳細な説明】
【技術分野】
【０００１】
本発明は扉の開閉によって種々の電子回路の作動が制御される冷蔵庫において庫内灯の点灯と消灯の機能性向上のための複数の庫内灯の制御技術にかかわるものである。
【背景技術】
【０００２】
従来の冷蔵庫においては、庫内灯の点灯を制御する方法としては扉の開閉によって制御されるドアスイッチと庫内灯を点灯させる電子回路を冷蔵庫に備えて、1つまたは複数の庫内灯を点灯させるものが主流となっている。（例えば、特許文献１参照）
以下、図面を参照しながら上記従来の庫内当点灯の方法を説明する。
【０００３】
図４は従来の冷蔵庫の断面図、図５は従来の冷蔵庫のドアスイッチ部の拡大図である。
【０００４】
図において１は外箱、２は内箱、そして外箱１と内箱２との間に断熱材（図示せず）を介在し、外気の熱伝導を遮断している。３は内箱２の内面に取り付けられた冷却器、４、５は冷凍室６、冷蔵室７の各前面開口部をヒンジ８を介して開閉する扉である。９は各扉４、５の開閉に連動して、４、５が共に閉の時、冷気を冷凍室６、冷蔵室７に送り込むファンモータ、１０は冷凍室６、冷蔵室７を仕切る仕切り板、１１は内箱２の内面で仕切板１０と同じ高さで冷凍室６、冷蔵室７を照明可能な位置に配置し、扉４、５の開閉に連動して、扉４、５の少なくともいずれか一方が開いた時、点灯する庫内灯である。冷気をファンモータ９によって冷凍室６から冷蔵室７へ送る流通路１２があり、仕切板１０の前面意匠部に配置したファンスイッチ１３とランプスイッチ１４があり、それぞれ共通接点ａ及び切替接点ｂ、ｃを有する。１５、１６は扉４、５が閉の時ファンスイッチ１３、ランプスイッチ１４を押圧する位置のそれぞれの扉４，５に設けてある押板である。扉４、５のハンドルとして１７がある。
【０００５】
以上のように構成された冷蔵庫について、以下にその動作を説明する。
【０００６】
まず、扉４、５を閉じている時は図５に示す押板１５、１６がファンスイッチ１３、ランプスイッチ１４を押圧し、回路を図６のように構成するのでファンスイッチ１３はオン（接点ａｂ間閉）となり、ふぁんもーた９は通電される。だがこの時、ランプスイッチ１４はオフ（接点ａｂ間開）となり庫内灯１１は点灯しない。次に扉４のみを開いた時は、押板１５がファンスイッチ１３から離れるので、ファンスイッチ１３はオフとなり、ファンモータ９が停止する。だが、庫内灯１１は点灯する。次に扉５のみを開いた時は、ファンモータ９は通電されないので停止となり、庫内灯１１のみが点灯する。次に、扉４、５の両方を開いた時は、ファンモータ９は停止となり庫内灯１１のみが点灯する。
【特許文献１】特開平５−８７４３１号公報
【発明の開示】
【発明が解決しようとする課題】
【０００７】
しかしながら、このように従来の冷蔵庫ではファンスイッチ１３やランプスイッチ１４で庫内灯の点灯を制御していたため、もし使用者が扉の閉め忘れ等で扉をわずかに開けていただけでも庫内灯が点灯してしまい、使用者が意図しない時に庫内灯が点灯するという欠点があった。また、ユーザーが本当に見たい場所を適切に照らすという機能を完全には果たしていないという欠点もあった。
【０００８】
本発明は従来の課題を解決するもので、扉の開度に応じて庫内灯の点灯の状態を制御することを目的とする。
【課題を解決するための手段】
【０００９】
上記課題を解決するため、本発明の冷蔵庫は、各部屋の扉の開閉に連動してそれぞれ接点を入切りするスイッチと、冷蔵室のヒンジに装着されたボリューム抵抗と、各扉の開閉に連動して点灯する庫内灯とからなり、前記ボリューム抵抗によって冷蔵室の扉の開閉角度を検知し、冷蔵室の扉の開閉角度に応じて冷蔵室に備えられた複数の庫内灯の点灯を切り替える
【発明の効果】
【００１０】
本発明の冷蔵庫によれば、従来のスイッチをボリューム抵抗としたので、冷蔵室ドアの開度に応じ複数の庫内灯の点灯制御が実現でき、効率的な庫内灯の点灯制御が実現できる。
【発明を実施するための最良の形態】
【００１１】
請求項１に記載の冷蔵庫の発明は、各部屋の扉の開閉に連動してそれぞれ接点を入切りするスイッチと、冷蔵室のヒンジに装着されたボリューム抵抗と、各扉の開閉に連動して点灯する庫内灯とからなり、前記ボリューム抵抗によって冷蔵室の扉の開閉角度を検知し、冷蔵室の扉の開閉角度に応じて冷蔵室に備えられた複数の庫内灯の点灯を切り替える。
【００１２】
以下、本発明の実施の形態について、図面を参照しながら説明する。なお、従来と同一構成については、同一符号を付して詳細な説明を省略する。また、この実施の形態によってこの発明が限定されるものではない。
【００１３】
（実施の形態１）
図１は、本発明の実施の形態１による制御形態のブロック図である。また、図２は同実施の形態１の冷蔵庫の概略図である。図３は同実施の形態１の冷蔵庫の扉開放時の動作を示すフローチャートである。
【００１４】
図２に示すように、この発明は冷蔵室ドア５及び、ドアヒンジ８及び、冷蔵室のドア開度を検出するための、ドアヒンジに配置されたボリューム抵抗１８及び、冷蔵室ドア５に配置された庫内灯１１ａ及び、冷蔵室７に配置された庫内灯１１ｂにより構成される。 ドアヒンジに配置されたボリューム抵抗１８としては精度が±５％程度のものが実用性から好ましく、また冷蔵室ドア５に配置された庫内灯１１ａとしては実用性の面から１０Ｗ程度のものが好ましく、冷蔵室７に配置された庫内灯１１ｂは庫内全面を照らすという点から１５Ｗ程度のものが好ましい。
【００１５】
ドアヒンジに配置されたボリューム抵抗１８としてはドア開度を検出するという点から、ロータリー式エンコーダも適用できる。
【００１６】
以上のように構成された冷蔵庫について、以下にその動作を説明する。
【００１７】
図３において、まず、冷蔵室ドア５のドア開度がある一定角度Ｑ未満の場合は、ユーザーは冷蔵室ドア５の棚のものを出し入れすると考え、冷蔵室ドア５に配置された庫内灯１１ａを点灯させ、冷蔵室ドア５のドア開度がある一定角度Ｑ以上の場合は、ユーザーは冷蔵室７の庫内のものを出し入れするものと考え、冷蔵室７に配置された庫内灯１１ｂを点灯させる。
【００１８】
したがって、冷蔵室ドア５の開度に応じて、点灯する庫内灯を切り替えることとなり、複数の庫内灯のドア開度による個別点灯制御が実現できる。
【００１９】
以上のように本実施の形態の冷蔵庫は冷蔵室ドア５及び、ドアヒンジ８及び、冷蔵室のドア開度を検出するための、ドアヒンジに配置されたボリューム抵抗１８及び、冷蔵室ドア５に配置された庫内灯１１ａ及び、冷蔵室７に配置された庫内灯１１ｂにより構成され、従来のスイッチをボリューム抵抗としたので、冷蔵室ドア５の開度に応じ複数の庫内灯の点灯制御が実現できる。
【産業上の利用可能性】
【００２０】
以上のように、本発明にかかる冷蔵庫は、ドアの開度に応じ複数の庫内灯の点灯制御が実現でき、効率的な庫内灯の点灯制御が実現できるので、室内灯を有する室を備えた貯蔵機器などに幅広く適用できる。
【図面の簡単な説明】
【００２１】
【図１】本発明による冷蔵室内の複数の庫内灯の点灯の切替の実施の形態１のブロック図
【図２】同実施の形態の冷蔵室内の複数の庫内灯の点灯の切替の実施の形態１の機能を有する冷蔵庫の概略図
【図３】同実施の形態１の冷蔵庫の扉開放時の動作を示すフローチャート
【図４】従来の冷蔵庫の概略図
【図５】従来の冷蔵庫のドアスイッチ部の拡大図
【符号の説明】
【００２２】
５    冷蔵室ドア
７    冷蔵室
８    ドアヒンジ部
１１ａ    庫内灯(冷蔵室ドア棚用)
１１ｂ    庫内灯(冷蔵室庫内用)
１８    ボリューム抵抗
【図１】
2005164196.tif 000003
【図２】
2005164196.tif 000004
【図３】
2005164196.tif 000005
【図４】
2005164196.tif 000006
【図５】
2005164196.tif 000007